(57)【要約】【課題】車載型再生装置１０へ接続するＤＡＰにはビデオ対応型とオーディオのみの対応型とがある。また、接続ケーブルにはビデオ再生信号を伝送できる専用ケーブル２０とできないＵＳＢ標準ケーブル３０の２種がある。ビデオ対応ＤＡＰ１６をＵＳＢ標準ケーブル３０により車載型再生装置１０へ接続したときに、ユーザが再生不能なビデオコンテンツに係る操作を行うことを防止する。【解決手段】車載型再生装置１０はＤＡＰとの通信により、該ＤＡＰがビデオ対応ＤＡＰ１６及びオーディオ専用ＤＡＰ１８のどちらであるかを検出する。また、接続ケーブルが専用ケーブル２０及びＵＳＢ標準ケーブル３０のどちらであるかを検出する。ＤＡＰがビデオ対応ＤＡＰ１６であっても、接続ケーブルがＵＳＢ標準ケーブル３０である場合には、”ＭＵＳＩＣ”及び”ＶＩＤＥＯ”の選択画面の表示をパスして、”ＭＵＳＩＣ”が選択された場合の画面から表示開始する。【選択図】図１
2010252007.tif 000002
【特許請求の範囲】
【請求項１】
接続ケーブルを介して外付け再生機器からその格納コンテンツの再生信号を入力して該格納コンテンツを再生する場合に前記接続ケーブルが複数種、使い分けられるようになっているコンテンツ再生装置であって、
使用中の接続ケーブルの種類を判別する接続ケーブル判別手段、及び
使用中の接続ケーブルの種類によっては再生信号の入力が困難となっているコンテンツの種類がある場合にはユーザへの表示情報から該種類のコンテンツ及びその関連の情報を除外する情報表示手段、
を備えることを特徴とするコンテンツ再生装置。
【請求項２】
接続ケーブルの種類には第１及び第２の種類の２つ、あり、
第１の種類の接続ケーブルでは、再生信号の伝送はオーディオコンテンツの再生信号のみ可能であり、
第２の種類の接続ケーブルでは、再生信号の伝送はオーディオ及びビデオの両方の再生信号が可能であることを特徴とする請求項１記載のコンテンツ再生装置。
【請求項３】
第２の種類の接続ケーブルは第１の種類の接続ケーブルの全部の接続線とビデオ伝送用の接続線とを含むことを特徴とする請求項２記載のコンテンツ再生装置。
【請求項４】
前記情報表示手段が除外する情報には、使用中の接続ケーブルの種類によっては再生信号の入力が困難となっている種類のコンテンツの検索操作及び／又は選択操作に係る情報が含まれることを特徴とする請求項１〜３のいずれかに記載のコンテンツ再生装置。
【請求項５】
接続ケーブルを介して外付け再生機器からその格納コンテンツの再生信号を入力して該格納コンテンツを再生する場合に前記接続ケーブルが複数種、使い分けられるようになっているコンテンツ再生装置の制御方法であって、
使用中の接続ケーブルの種類を判別する接続ケーブル判別ステップ、及び
使用中の接続ケーブルの種類によっては再生信号の入力が困難となっているコンテンツの種類がある場合にはユーザへの表示情報から該種類のコンテンツ及びその関連の情報を除外する情報表示ステップ、
を備えることを特徴とするコンテンツ再生装置制御方法。
【請求項６】
請求項１〜４のいずれかのコンテンツ再生装置の各手段としてコンピュータを機能させるプログラム。
【発明の詳細な説明】
【技術分野】
【０００１】
本発明は、ＤＡＰ（Digital Audio Player：デジタルオーディオプレーヤ）のような機器を外付け再生機器としてケーブル接続して該外付け再生機器からコンテンツ再生信号を入力して再生するコンテンツ再生装置、方法及びプログラムに関するものである。
【背景技術】
【０００２】
特許文献提示の代わりに、図４〜図９を参照して、従来技術の現状を説明する。
【０００３】
図４〜図７は従来の車載型再生装置８０に対する種々のＤＡＰ及び接続ケーブルの組み合わせ状況及び表示画面を示している。なお、該ＤＡＰはビデオコンテンツも格納、再生する機種も含むものとする。ＤＡＰは、例えばｉＰｏｄであり、ビデオ対応ＤＡＰ１６及びオーディオ専用ＤＡＰ１８の２種がある。また、接続ケーブルには（ｉＰｏｄ）専用ケーブル２０及びＵＳＢ標準ケーブル３０の２種がある。
【０００４】
車載型再生装置８０は典型的にはカーナビゲーション装置を兼ねる。車載型再生装置８０は、車室のセンターコンソール内に配備され、前面に表示器１２を有し、センターコンソールに配備される。表示器１２は典型的には、タッチパネルであり、ユーザは表示器１２に表示される各種の指示ボタン及び選択ボタンに指をタッチして、ユーザ指示及びユーザ選択を行うようになっている。
【０００５】
ユーザは、マイカーに乗車する時は、自分のビデオ対応ＤＡＰ１６又はオーディオ専用ＤＡＰ１８をマイカーへ持ち込んで、それを専用ケーブル２０又はＵＳＢ標準ケーブル３０により車載型再生装置８０へ接続する。また、マイカーから下車する時は、ビデオ対応ＤＡＰ１６又はオーディオ専用ＤＡＰ１８を専用ケーブル２０又はＵＳＢ標準ケーブル３０から外して、携帯する。
【０００６】
ビデオ対応ＤＡＰ１６はオーディオ専用ＤＡＰ１８を兼ねる。すなわち、オーディオ専用ＤＡＰ１８は、オーディオコンテンツのみ再生できるのに対し、ビデオ対応ＤＡＰ１６は、オーディオコンテンツだけでなく、ビデオコンテンツも再生可能になっている。
【０００７】
図８及び図９は専用ケーブル２０及びＵＳＢ標準ケーブル３０の構成図である。図８において、専用ケーブル２０は、ビデオ対応ＤＡＰ１６又はオーディオ専用ＤＡＰ１８側にコネクタ２１を、車載型再生装置８０側にＵＳＢコネクタ２２及びプラグ２３を、それぞれ備えている。コネクタ２１は、ビデオ対応ＤＡＰ１６又はオーディオ専用ＤＡＰ１８のコネクタに着脱自在に装着される。ＵＳＢコネクタ２２は、周知のＵＳＢケーブルのＡ端子と同一構造であり、車載型再生装置８０のＵＳＢコネクタへ着脱自在に装着される。プラグ２３は、周知のミニジャックの構造となっており、車載型再生装置８０のビデオ入力端子としてのジャック差込用孔へ着脱自在に装着される。
【０００８】
共通ケーブル部分２４は、コネクタ２１から分岐部２５まで延びる。ＵＳＢケーブル部分２６及びビデオケーブル部分２７は、分岐部２５から分岐し、ＵＳＢケーブル部分２６はＵＳＢコネクタ２２まで延び、ビデオケーブル部分２７はプラグ２３まで延びる。コネクタ２１とＵＳＢコネクタ２２とは、給電線、グランド線、＋Ｄ線及び−Ｄ線の計４本の線で接続されている。±Ｄ線は、オーディオ信号と制御信号とを伝送する。コネクタ２１とプラグ２３との接続線は、コンポジットＶＩＤＥＯ線、ＶＩＤＥＯ−ＧＮＤ線及びその他を含む。
【０００９】
図９のＵＳＢ標準ケーブル３０において、専用ケーブル２０の要素と同一の要素については、専用ケーブル２０の対応要素に付した符号で指示し、ＵＳＢ標準ケーブル３０の主要点について説明する。ＵＳＢ標準ケーブル３０では、専用ケーブル２０のビデオケーブル部分２７が省略され。ＵＳＢケーブル部分２６のみがコネクタ２１とＵＳＢコネクタ２２とを繋いでいる。
【００１０】
車載型再生装置８０は、専用ケーブル２０又はＵＳＢ標準ケーブル３０のＵＳＢケーブル部分２６内の±Ｄ線を介してビデオ対応ＤＡＰ１６又はオーディオ専用ＤＡＰ１８と通信することにより、外付けＤＡＰがビデオ対応ＤＡＰ１６であるかオーディオ専用ＤＡＰ１８であるかを判別するようになっている。
【００１１】
図４及び図６は車載型再生装置８０にそれぞれ専用ケーブル２０及びＵＳＢ標準ケーブル３０を介してビデオ対応ＤＡＰ１６が接続された状態と共に表示器１２におけるＤＡＰカテゴリ選択画面を示している。従来の車載型再生装置８０は、接続中のＤＡＰがＵＳＢケーブル部分２６内の±Ｄ線を介してビデオ対応型であることを認識すると、”ＭＵＳＩＣ”（音楽）及び”ＶＩＤＥＯ”（ビデオ）のどちらかをユーザに選択させるＤＡＰカテゴリ選択画面を表示器１２に表示する。
【００１２】
図４及び図６のＤＡＰカテゴリ選択画面において、ユーザが”ＶＩＤＥＯ”を選択すると、図４の場合には、専用ケーブル２０のビデオケーブル部分２７を介してビデオ対応ＤＡＰ１６から伝送されたビデオ再生信号のビデオが表示器１２に表示される。これに対して、図６の場合には、ＵＳＢ標準ケーブル３０はビデオケーブル部分２７を有していないので、ビデオ対応ＤＡＰ１６から車載型再生装置８０へビデオ再生信号の入力がなく、表示器１２は、何も表示されない真っ黒の画面になってしまう。
【００１３】
図５及び図７は車載型再生装置８０にそれぞれ専用ケーブル２０及びＵＳＢ標準ケーブル３０を介してオーディオ専用ＤＡＰ１８が接続された状態と共に表示器１２におけるＤＡＰカテゴリ選択画面を示している。車載型再生装置８０は、接続中のＤＡＰがＵＳＢケーブル部分２６内の±Ｄ線を介してオーディオのみの対応型であることを認識すると、図４及び図６の”ＭＵＳＩＣ”及び”ＶＩＤＥＯ”の選択画面を省略して、直ちに選択楽曲を絞り込むための”ＡＲＴＩＳＴ”（歌手）、”ＡＬＢＵＭ”（アルバム）及び”ＳＯＮＧＳ”（楽曲名）等から１つを選択させるＤＡＰカテゴリ選択画面を表示器１２に表示する。
【００１４】
なお、表示器１２は、表示面積が限られているので、図５及び図７のＤＡＰカテゴリ選択画面では、選択項目が３つ（※図面作成の便宜上、３つとなっているだけであり、実際の製品では、３つではなく５つである。）しか表示されていないが、ユーザは、表示されていない選択項目を見て選択したいときには、画面のスクロール操作を行うことになる。また、図５及び図７の表示器１２のＤＡＰカテゴリ選択画面は、ユーザが図４及び図６の表示器１２のＤＡＰカテゴリ選択画面において”ＭＵＳＩＣ”を選択した場合に次に表示されるＤＡＰカテゴリ選択画面となっている。
【００１５】
なお、ビデオ（動画）と静止画とは区別される。ビデオ（動画）のデータをＤＡＰ１６から車載型再生装置８０へ伝送するためには、専用ケーブル２０がひつようになるが、楽曲再生時におけるアルバム写真等の静止画の伝送はＵＳＢ標準ケーブル３０で間に合う。
【発明の概要】
【発明が解決しようとする課題】
【００１６】
図６に説明するように、従来の車載型再生装置８０ではビデオ対応ＤＡＰ１６をＵＳＢ標準ケーブル３０により接続したとき、車載型再生装置８０は、ＵＳＢ標準ケーブル３０を介するＤＡＰとの通信によりＤＡＰがオーディオ専用ＤＡＰ１８ではなくビデオ対応ＤＡＰ１６であることを認識して、ユーザに”ＭＵＳＩＣ”及び”ＶＩＤＥＯ”（ビデオ）のどちらかを選択させるＤＡＰカテゴリ選択画面を表示器１２に表示する。しかしながら、ユーザが該ＤＡＰカテゴリ選択画面から”ＶＩＤＥＯ”を選択すると、ＵＳＢ標準ケーブル３０では、ビデオ対応ＤＡＰ１６から車載型再生装置８０へビデオ再生信号を伝送することができないので、表示器１２はＤＡＰカテゴリ選択画面から突然真っ黒の画面となり、ユーザを驚かさせたり当惑させたりしてしまう。
【００１７】
本発明の目的は、コンテンツ再生に関してユーザに当惑感を与えるような表示を防止することができるコンテンツ再生装置、方法及びプログラムを提供することである。
【課題を解決するための手段】
【００１８】
本発明によれば、外付け再生機器を接続ケーブルにより接続した時に該接続ケーブルの種類を判別する。そして、接続ケーブルについて判別した種類によっては、再生信号の入力が困難な種類のコンテンツが存在する場合には、該種類のコンテンツ及びその関連の情報はユーザへの表示から除外する。
【００１９】
本発明のコンテンツ再生装置は、接続ケーブルを介して外付け再生機器からその格納コンテンツの再生信号を入力して該格納コンテンツを再生する場合に前記接続ケーブルが複数種、使い分けられるようになっていて、次のものを備える。
使用中の接続ケーブルの種類を判別する接続ケーブル判別手段、及び
使用中の接続ケーブルの種類によっては再生信号の入力が困難となっているコンテンツの種類がある場合にはユーザへの表示情報から該種類のコンテンツ及びその関連の情報を除外する情報表示手段。
【００２０】
本発明の制御方法は、接続ケーブルを介して外付け再生機器からその格納コンテンツの再生信号を入力して該格納コンテンツを再生する場合に前記接続ケーブルが複数種、使い分けられるようになっているコンテンツ再生装置に適用され、次のステップを備える。
使用中の接続ケーブルの種類を判別する接続ケーブル判別ステップ、
使用中の接続ケーブルの種類によっては再生信号の入力が困難となっているコンテンツの種類がある場合にはユーザへの表示情報から該種類のコンテンツ及びその関連の情報を除外する情報表示ステップ。
【００２１】
本発明のプログラムは、本発明のコンテンツ再生装置の各手段としてコンピュータを機能させる。
【発明の効果】
【００２２】
本発明によれば、外付け再生機器を接続するのに使用している接続ケーブルの種類を判別し、接続ケーブルについて判別した種類によっては、再生信号の入力が困難な種類のコンテンツが存在する場合には、該種類のコンテンツ及びその関連の情報はユーザへの表示から除外するので、ユーザは、無用な操作を省かれるとともに、期待又は思惑の操作結果が得られないことによる失望感及び当惑感を抱かずに済ませることができる。
【図面の簡単な説明】
【００２３】
【図１】ビデオ対応ＤＡＰをＵＳＢ標準ケーブルにより車載型再生装置を接続した時の接続構成及びその時の表示器の表示内容を示す図である。
【図２】コンテンツ再生装置のブロック図である。
【図３】コンテンツ再生装置制御方法のフローチャートである。
【図４】従来の車載型再生装置に専用ケーブルを介してビデオ対応ＤＡＰが接続された状態と共に表示器におけるＤＡＰカテゴリ選択画面を示す図である。
【図５】従来の車載型再生装置に専用ケーブルを介してオーディオ専用ＤＡＰが接続された状態と共に表示器におけるＤＡＰカテゴリ選択画面を示している。
【図６】従来の車載型再生装置にＵＳＢ標準ケーブルを介してビデオ対応ＤＡＰが接続された状態と共に表示器におけるＤＡＰカテゴリ選択画面を示す図である。
【図７】従来の車載型再生装置にＵＳＢ標準ケーブルを介してオーディオ専用ＤＡＰが接続された状態と共に表示器におけるＤＡＰカテゴリ選択画面を示している。
【図８】専用ケーブルの構成図である。
【図９】ＵＳＢ標準ケーブルの構成図である。
【発明を実施するための形態】
【００２４】
図１はビデオ対応ＤＡＰ１６をＵＳＢ標準ケーブル３０により車載型再生装置１０を接続した時の接続構成及びその時の表示器１２の表示内容を示す図である。車載型再生装置１０は、それに実装されるプログラムを除き、その他の構造は車載型再生装置８０と同一である。車載型再生装置１０は、車載型再生装置８０の場合と同様に、カーナビゲーション装置を兼ね、車室のセンターコンソール内に配備される。
【００２５】
車載型再生装置１０とＤＡＰの種類及び接続ケーブルの種類との組み合わせは、（ａ）専用ケーブル２０を介してビデオ対応ＤＡＰ１６を車載型再生装置１０へ接続する場合、（ｂ）専用ケーブル２０を介してオーディオ専用ＤＡＰ１８を車載型再生装置１０へ接続する場合、（ｃ）ＵＳＢ標準ケーブル３０を介してビデオ対応ＤＡＰ１６を車載型再生装置１０へ接続する場合、及び（ｄ）ＵＳＢ標準ケーブル３０を介してオーディオ専用ＤＡＰ１８を車載型再生装置１０へ接続する場合の４通りがある。図１は（ｃ）の場合を示している。（ａ）、（ｂ）及び（ｄ）の場合については、図示を省略しているが、それらの場合の接続構成及びその時の表示器１２の表示内容はそれぞれ図４、図５及び図７における車載型再生装置８０を車載型再生装置１０に置き換えただけとなる。
【００２６】
図１の車載型再生装置１０及びビデオ対応ＤＡＰ１６の接続に使用しているＵＳＢ標準ケーブル３０は、図９で説明したように、専用ケーブル２０のようなビデオケーブル部分２７をもたず、結果、ビデオ対応ＤＡＰ１６から車載型再生装置１０へのビデオ信号の伝送は困難になっている。
【００２７】
一方、車載型再生装置１０は、ＵＳＢ標準ケーブル３０を介してビデオ対応ＤＡＰ１６を接続されたことに伴い、ＵＳＢ標準ケーブル３０の±Ｄ線を使用したビデオ対応ＤＡＰ１６との通信によりビデオ対応ＤＡＰ１６が、オーディオのみの対応ではなく、ビデオ対応型であることを認識する。
【００２８】
車載型再生装置１０は、さらに、接続ケーブルが専用ケーブル２０ではなく、ＵＳＢ標準ケーブル３０であることを検知する。具体的には、ビデオケーブル部分２７には、ｉＰｏｄ＿ＤＥＴ線（ＤＡＰ１６がｉＰｏｄである場合のＤＡＰ検出線）が含まれており、これに対応して、プラグ２３（図８）が挿入される車載型再生装置１０のジャック差込用孔には、ｉＰｏｄ＿ＤＥＴ端子が存在し、かつ該ｉＰｏｄ＿ＤＥＴ端子はＧＮＤに直結されており、該ｉＰｏｄ＿ＤＥＴ端子の電圧を検出することによりＤＡＰ１６が専用ケーブル２０により接続されているかいないかを検出することができる。すなわち、ＤＡＰ１６が専用ケーブル２０により接続されていない場合には、該ｉＰｏｄ＿ＤＥＴ端子はＧＮＤ電圧であり、ＤＡＰ１６が専用ケーブル２０により接続されている場合には、該ｉＰｏｄ＿ＤＥＴ端子はＧＮＤ電圧とは異なる電圧になる。
【００２９】
接続ケーブルが専用ケーブル２０及びＵＳＢ標準ケーブル３０のどちらであるかを検知する別の方法では、例えば、表示器１２に図１の画面を表示する前に、車載型再生装置１０がビデオ対応ＤＡＰ１６へＵＳＢ標準ケーブル３０の±Ｄ線を介してビデオコンテンツのテストビデオ再生信号の伝送を指示する。そして、所定時間内にテストビデオ信号が車載型再生装置１０に入力されれば、接続ケーブルは専用ケーブル２０であると判断し、入力されなければ、接続ケーブルはＵＳＢ標準ケーブル３０であると判断する。
【００３０】
車載型再生装置１０が、接続ケーブルがＵＳＢ標準ケーブル３０であると判断した場合には、今回の接続対象がビデオ対応ＤＡＰ１６であるにもかかわらず、”ＭＵＳＩＣ”と”ＶＩＤＥＯ”とのいずれかをユーザに選択させるＤＡＰカテゴリ選択画面（図４及び図６の表示器１２の画面）を表示器１２に表示すること取り止める。そして、”ＭＵＳＩＣ”と”ＶＩＤＥＯ”とのいずれかをユーザに選択させるＤＡＰカテゴリ選択画面においてユーザが”ＭＵＳＩＣ”を選択した場合に次に表示する画面（図１の画面）を最初に表示することになる。なお、図１の表示器１２の画面は、図５及び図７の表示器１２の画面と同一である。
【００３１】
ユーザが表示器１２において再生対象のコンテンツを選択すると、車載型再生装置１０は専用ケーブル２０又はＵＳＢ標準ケーブル３０の±Ｄ線を介してビデオ対応ＤＡＰ１６又はオーディオ専用ＤＡＰ１８へ再生対象のコンテンツの再生信号を車載型再生装置１０へ供給するように指示する。ビデオ対応ＤＡＰ１６又はオーディオ専用ＤＡＰ１８は、この指示を受けて、自機の記憶装置から該再生対処のコンテンツのデータを読み出して、その再生信号を専用ケーブル２０又はＵＳＢ標準ケーブル３０を介して車載型再生装置１０へ送る。車載型再生装置１０は、ビデオ再生信号のビデオは表示器１２に表示し、オーディオ再生信号のオーディオはスピーカ（図示せず）から出力する。
【００３２】
なお、ビデオコンテンツの再生は、ビデオとオーディオとの両方を再生することになっており、ビデオ対応ＤＡＰ１６の格納ビデオコンテンツを車載型再生装置１０において再生する場合にも、ビデオ対応ＤＡＰ１６から車載型再生装置１０へビデオ再生信号だけでなく、オーディオ再生信号も伝送されて、車載型再生装置１０においてビデオ及びオーディオの両方が出力される。
【００３３】
こうして、（ｃ）ＵＳＢ標準ケーブル３０を介してビデオ対応ＤＡＰ１６を車載型再生装置１０へ接続する場合、ユーザは、車載型再生装置８０のときのような図６の表示器１２の画面を見ることなく、今回再生しようとするオーディオコンテンツとしての楽曲を絞り込む”ＡＲＴＩＳＴ”（歌手）、”ＡＬＢＵＭ”（アルバム）及び”ＳＯＮＧＳ”（楽曲名）等の選択項目から１つを選択させるＤＡＰカテゴリ選択画面を見て、選択操作を実施することになる。したがって、ユーザは、ビデオコンテンツの再生が不能であるにもかかわらず、”ＶＩＤＥＯ”を選択して、表示器１２に真っ黒の画面が表示され、当惑したり、無駄な操作を行ったりすることを回避することができる。
【００３４】
図２はコンテンツ再生装置４０のブロック図である。コンテンツ再生装置４０の具体例は車載型再生装置１０である。コンテンツ再生装置４０は車載型に限定されない。住宅内に据え置かれるものや、携帯型であってもよい。コンテンツ再生装置４０は、接続ケーブルを介して外付け再生機器からその格納コンテンツの再生信号を入力して該格納コンテンツを再生する場合に接続ケーブルが複数種、使い分けられるようになっている。外付け再生機器は、典型的には携帯型であり、具体例はｉＰｏｄである。外付け再生機器は、携帯電話機や携帯型情報処理装置であってもよい。
【００３５】
コンテンツ再生装置４０は接続ケーブル判別手段４１及び情報表示手段４２を備える。接続ケーブル判別手段４１は、使用中の接続ケーブルの種類を判別する。情報表示手段４２は、使用中の接続ケーブルの種類によっては再生信号の入力が困難となっているコンテンツの種類がある場合には、ユーザへの表示情報から該種類のコンテンツ及びその関連の情報を除外する。
【００３６】
該種類のコンテンツ及びその関連の情報を除外した情報表示の具体例は図６の表示器１２のＤＡＰカテゴリ選択画面に代わる図１の表示器１２のＤＡＰカテゴリ選択画面である。これに対し、除外しない情報表示の具体例は図６の表示器１２のＤＡＰカテゴリ選択画面である。
【００３７】
典型的には、接続ケーブルの種類には第１及び第２の種類の２つ、あり、第１の種類の接続ケーブルでは、再生信号の伝送はオーディオコンテンツの再生信号のみ可能であり、第２の種類の接続ケーブルでは、再生信号の伝送はオーディオ及びビデオの両方の再生信号が可能である。典型的には、第２の種類の接続ケーブルは第１の種類の接続ケーブルの全部の接続線とビデオ伝送用の接続線とを含む。第１及び第２の種類の接続ケーブルの具体例はそれぞれＵＳＢ標準ケーブル３０及び専用ケーブル２０である。
【００３８】
情報表示手段４２が除外する情報には、使用中の接続ケーブルの種類によっては再生信号の入力が困難となっている種類のコンテンツの検索操作及び／又は選択操作に係る情報が含まれる。この除外情報の具体例は図６の表示器１２の”ＶＩＤＥＯ”の選択ボタンである。
【００３９】
こうして、コンテンツ再生装置４０では、外付け再生機器の格納コンテンツにはなっているものの、接続ケーブルが不適切のために、コンテンツ再生装置４０が外付け再生機器から再生信号を入力することができないコンテンツについては、それ自体（例：コンテンツ名の選択ボタン）及びその関連情報（例：再生対象のコンテンツを検索する際に、該コンテンツを含む分類を絞り込んでいく”ＶＩＤＥＯ”やジャンル等の絞り込み選択ボタン）も含めて、コンテンツ再生装置４０における情報表示から除外される。したがって、ユーザは無駄な操作をしないで済むとともに、当惑するような情報表示を見なくて済ませることができる。
【００４０】
図３はコンテンツ再生装置制御方法５０のフローチャートである。コンテンツ再生装置制御方法５０はコンテンツ再生装置４０に適用される。Ｓ５１では、使用中の接続ケーブルの種類を判別する。Ｓ５２では、使用中の接続ケーブルの種類によっては再生信号の入力が困難となっているコンテンツの種類があるか否かを判定し、判定が正であれば、Ｓ５３へ進み、否であれば、Ｓ５４へ進む。Ｓ５２では、ユーザへの表示情報から該種類のコンテンツ及びその関連の情報を除外する。Ｓ５３では、外付け再生機器の全種類の格納コンテンツ及びその関連の情報をユーザへ表示する。
【００４１】
Ｓ５１の処理はコンテンツ再生装置４０の接続ケーブル判別手段４１の機能に対応している。Ｓ５２，Ｓ５３の処理はコンテンツ再生装置４０の情報表示手段４２の機能に対応している。したがって、接続ケーブル判別手段４１及び情報表示手段４２の機能について述べた具体的態様は、対応するステップの処理についての具体的態様としても適用可能である。なお、Ｓ５４の処理を情報表示手段４２にその機能として付加することができる。
【００４２】
本発明を適用したプログラムは、コンピュータをコンテンツ再生装置４０の各手段として機能させる。本発明を適用した別のプログラムは、コンテンツ再生装置制御方法５０の各ステップをコンピュータに実行させる。
【００４３】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００４４】
４０：コンテンツ再生装置、４１：接続ケーブル判別手段、４２：情報表示手段、５０：コンテンツ再生装置制御方法。
【図１】
2010252007.tif 000003
【図２】
2010252007.tif 000004
【図３】
2010252007.tif 000005
【図４】
2010252007.tif 000006
【図５】
2010252007.tif 000007
【図６】
2010252007.tif 000008
【図７】
2010252007.tif 000009
【図８】
2010252007.tif 000010
【図９】
2010252007.tif 000011